(57)【要約】  音声出力装置は、筐体と、前記筐体の内部に配置され、音声信号に応じて振動して放音する放音部を有するスピーカーユニットと、前記筐体と一体的に構成され、前記スピーカーユニットを支持するとともに振動を減衰する緩衝性を有する支持部材と、を備える。
2019146096.tif 000002
【特許請求の範囲】
【請求項１】
筐体と、
前記筐体の内部に配置され、音声信号に応じて振動して放音する放音部を有するスピーカーユニットと、
前記筐体と一体的に構成され、前記スピーカーユニットを支持するとともに振動を減衰する緩衝性を有する支持部材と、を備えることを特徴とする音声出力装置。
【請求項２】
前記支持部材は、梁状である請求項１に記載の音声出力装置。
【請求項３】
前記筐体は、前記放音部に対応する箇所に貫通孔を有し、
前記支持部材は、前記筐体の前記貫通孔を形成する縁部と、前記スピーカーユニットとの間を封止する封止部を有する請求項１または２に記載の音声出力装置。
【請求項４】
前記筐体は、前記放音部に対応する箇所に位置する貫通孔を有しており、
前記支持部材とは別体で構成され、前記筐体の前記貫通孔を形成する縁部と前記スピーカーユニットとの間を封止するシール部材を有する請求項１または２に記載の音声出力装置。
【請求項５】
前記筐体は、前記放音部に対応する箇所に貫通孔を有しており、
前記筐体の前記貫通孔を形成する縁部と前記支持部材との間には、前記支持部材とは別体で構成され、振動を吸収するとともに、前記スピーカーユニットの支持を補助するための補助部材が設けられている請求項１または２に記載の音声出力装置。
【請求項６】
前記筐体と前記スピーカーユニットとの間には、振動を吸収する振動吸収材が設けられている請求項１ないし５のいずれか１項に記載の音声出力装置。
【発明の詳細な説明】
【技術分野】
【０００１】
本発明は、音声出力装置の技術に関する。
【背景技術】
【０００２】
従来、例えば自動車内には、音声を出力するスピーカーユニットを有する音声出力装置が設けられている。音声出力装置は、自動車の内装に取り付けられており、音声に基づく電気信号を処理して放音する。【０００３】
また、近年、スピーカーユニットの振動が自動車の内装に伝わって内装が振動することで生じる雑音を低減するために、スピーカーユニットを内包する内箱を外箱で囲み、内箱と外箱との間に振動吸収材を介在させた音声出力装置が開発されている（例えば、特許文献１参照）。
【先行技術文献】
【特許文献】
【０００４】
【特許文献１】国際公開ＷＯ２０１７／０２２２５４号公報
【発明の概要】
【発明が解決しようとする課題】
【０００５】
しかし、特許文献１に記載の音声出力装置では、雑音は低減されるものの、内箱と外箱とを備えるため、部品点数が多く、コストがかかるという問題がある。【０００６】
本発明は前述した事情に鑑みてなされたもので、その目的は、雑音を低減しつつ、部品点数を少なくできる音声出力装置を提供することにある。
【課題を解決するための手段】
【０００７】
上記目的を達成するために本発明の第１の形態に係る音声出力装置は、筐体と、前記筐体の内部に配置され、音声信号に応じて振動して放音する放音部を有するスピーカーユニットと、前記筐体と一体的に構成され、前記スピーカーユニットを支持するとともに振動を減衰する緩衝性を有する支持部材と、を備える。
【図面の簡単な説明】
【０００８】
【図１】第１実施形態に係る音声出力装置の概略構成を示す斜視図である。
【図２】図１に示す音声出力装置の断面図である。
【図３】図１に示す音声出力装置の内部を示す平面図である。
【図４】図１に示す音声出力装置が有する支持部材を示す平面図である。
【図５】第２実施形態に係る音声出力装置の断面図である。
【図６】図５に示す音声出力装置が有する支持部材を示す平面図である。
【図７】第３実施形態に係る音声出力装置の断面図である。
【発明を実施するための形態】
【０００９】
以下、本発明を図面に示す好適な実施形態に基づいて詳細に説明する。なお、図面において各部の寸法や縮尺は実際のものと適宜異なり、理解を容易にするために模式的に示している部分もある。また、本発明の範囲は、以下の説明において特に本発明を限定する旨の記載がない限り、これらの形態に限られるものではない。
【００１０】
＜第１実施形態＞
図１は、第１実施形態に係る音声出力装置の概略構成を示す斜視図である。図２は、図１に示す音声出力装置の断面図である。図３は、図１に示す音声出力装置の内部を示す平面図であって、図２中のＡ１−Ａ１線断面図である。なお、各図には、各部の配置の理解を容易にするために、互いに直交する３軸であるｘ軸、ｙ軸およびｚ軸を図示している。
【００１１】
図１および図２に示すように、音声出力装置１００は、筐体１と、筐体１の内部に設けられ、信号処理回路を有する回路基板２と、筐体１の内部に設けられ、信号処理回路から供給された電気信号である音声信号に応じて放音するスピーカーユニット３と、を有する。また、図２に示すように、筐体１には、筐体１と一体的に構成され、スピーカーユニット３を支持するとともに、振動を減衰する緩衝性を有する支持部材１５が設けられている。ここで、支持部材１５と筐体１とが一体的に構成されていることとは、支持部材１５と筐体１とが着脱自在に構成されていることを除く意味であり、支持部材１５と筐体１とが一体成形されていることのみならず、支持部材１５と筐体１とが溶接により一体化された構成を含む。
【００１２】
また、音声出力装置１００は、筐体１の内部に設けられ、音声を音声信号に変換する複数のマイクロホン４を有している。したがって、音声出力装置１００は、音声入出力装置であるとも言える。なお、図３ではマイクロホン４の図示を省略している。
【００１３】
音声出力装置１００は、ハンズフリー通話を実現する装置として利用することができる。音声出力装置１００は、使用者が所持する携帯電話と有線または無線による通信が可能なように構成されている。音声出力装置１００は、使用者の音声をマイクロホン４で収音して音声信号に変換する。また、音声出力装置１００は、通話相手の音声をスピーカーユニット３から出力させることができる。例えば、音声出力装置１００は、使用者の携帯電話を介して受信した通話相手の音声に関する音声信号を受信し、処理して放音する。また、音声出力装置１００は、使用者の発した音声を音声信号に変換して処理し、処理した音声信号を使用者の携帯電話へと送信する。使用者の携帯電話に送信された音声信号は、使用者の携帯電話を介して通話相手の携帯電話に送信される。
【００１４】
音声出力装置１００は、例えば、自動車の室内で用いられる。その場合、音声出力装置１００は、例えば自動車の内装等の物体７に取り付けられる（図２参照）。以下、音声出力装置１００の各部の構成について順次説明する。なお、以下では、音声出力装置１００を自動車の室内に設置した場合を例に説明する。また、本明細書では、ｚ軸方向から見ることを「平面視」という。
【００１５】
［筐体］
筐体１は、回路基板２およびスピーカーユニット３を収容する内部空間Ｓを有する四角柱状の部材である。また、筐体１は、物体７に対して取り付け可能に構成されている。例えば、筐体１は、接着または嵌合等により物体７に対して着脱可能に取り付けることができる。なお、筐体１の外形は、図示の形状に限定されず、例えば円柱状等であっても構わない。
【００１６】
筐体１は、四角形の平板状をなす第１部材１１と、第１部材１１に対して離間して設けられた四角形の平板状をなす第２部材１２と、第１部材１１と第２部材１２との間に位置し、四角筒状をなす第３部材１３と、を有する。また、筐体１には、後で詳述するが、支持部材１５が第３部材１３と一体的に形成されている。なお、本実施形態では、第１部材１１、第２部材１２および第３部材１３は、別体で構成されていて例えば接着および嵌合等により接続されているが、これらは一体的に構成されていてもよい。
【００１７】
第１部材１１には、後述するスピーカーユニット３から出力される音声を外部に向かって導くための貫通孔１０１が形成されている。貫通孔１０１は、第１部材１１の厚さ方向に貫通しており、第１部材１１の中央部に形成されている。また、第１部材１１には、後述するマイクロホン４に対して使用者の音声を導くための２つの貫通孔１０２が形成されている。これら貫通孔１０２は、それぞれ、第１部材１１の厚さ方向に貫通しており、平面視で貫通孔１０１を挟むようにして第１部材１１に形成されている。
【００１８】
第１部材１１の外表面には、筐体１と物体７との密着性を高めるための部材１４が設けられている。部材１４は、物体７に対して筐体１が取り付けられている状態で、物体７と第１部材１１との間に介在し、これらの双方に接触している。なお、部材１４は、貫通孔１０１および貫通孔１０２を塞がないように設けられている。
【００１９】
部材１４は、筐体１を物体７に取り付ける際、物体７の形状に追従して密着する。これにより、筐体１と物体７との間に隙間ができることを防ぎ、音響特性のばらつきを低減することができる。
【００２０】
このような部材１４としては、例えば、ゴム製部材、軟質な樹脂製部材、独立気泡スポンジあるいは連続気泡スポンジのような多孔質な構造体、またはゼリー状の物質等が挙げられる。これらの中でも、部材１４としては、独立気泡スポンジであることが好ましい。独立気泡スポンジは反発弾性に優れているため、これを部材１４として用いることで、音響特性のばらつきを特に効果的に低減することができる。また、入手がし易く取り扱いが容易である点でも優れている。
【００２１】
なお、前述した第１部材１１、第２部材１２および第３部材１３の各構成材料としては、特に限定されず、例えば各種樹脂材料等を用いることができる。
【００２２】
［回路基板］
回路基板２は、第１部材１１に対して例えば両面テープで構成された接着体２０１およびネジ３０１によって固定されている。回路基板２には、音声信号を増幅したり、各種音声処理を実行したりする信号処理回路を備えるＩＣ（integrated circuit）が搭載されている。また、回路基板２には、音声信号の受信および送信を行う各種通信モジュールが搭載されている。
【００２３】
回路基板２と第１部材１１との間には、振動を吸収する振動吸収材５１（第２振動吸収材）が介在している。振動吸収材５１は、接着体２０１を除く部分に設けられており、図示では、平面視で接着体２０１より外側に位置している。回路基板２と第１部材１１との間に振動吸収材５１が設けられていることにより、回路基板２から筐体１に伝達され得る振動を効果的に吸収することができる。振動吸収材５１としては、前述した部材１４の例示として挙げた部材を用いることができる。また、振動吸収材５１と部材１４とは、同様の部材であってもよいし、異なる部材であってもよい。ただし、設計の簡略化やコスト削減のために、振動吸収材５１と部材１４とは、同様の部材であることが好ましく、双方ともに独立気泡スポンジであることが特に好ましい。
【００２４】
なお、回路基板２の数や配置は、図示のものに限定されず任意である。したがって、回路基板２は、例えば、第１部材１１側に位置していてもよいし、回路基板２は、複数であってもよい。
【００２５】
［マイクロホン］
２つのマイクロホン４は、それぞれ、回路基板２に搭載されている。マイクロホン４は、前述した第１部材１１に形成された貫通孔１０２に対応して設けられており、平面視で、スピーカーユニット３を挟むように配置されている。
【００２６】
このマイクロホン４は、使用者の音声を電気信号である音声信号に変換する。変換した音声信号は、回路基板２の信号処理回路に出力される。マイクロホン４としては、例えばＭＥＭＳ（Micro-Electrical-Mechanical Systems）マイクロホンを用いることができる。なお、マイクロホン４の数および配置は、それぞれ、図示のものに限定されず任意である。
【００２７】
［スピーカーユニット］
スピーカーユニット３は、回路基板２の第２部材１２側に位置しており、回路基板２および筐体１のそれぞれに対して離間して配置されている。
【００２８】
スピーカーユニット３は、回路基板２が有する信号処理回路から供給された音声信号を振動に変換して音声を出力する。スピーカーユニット３は、回路基板２に対して複数の配線３３を介して電気的に接続されている。このスピーカーユニット３は、主に、音声信号に応じて振動する振動部材で構成された放音部３１１と、放音部３１１を振動させる駆動源３１２と、駆動源３１２を収容しているフレーム３１３と、を有する。なお、変換の方式としては、特に限定されないが、例えば所謂ダイナミック方式を用いることができる。例えば、本体３１が所謂ダイナミック方式である場合、駆動源３１２は永久磁石およびボイスコイルで構成されており、放音部３１１はボイスコイルに接続された振動板で構成されている。また、振動部材で構成された放音部３１１の形状は、板状であってもよいし、コーン状であってもよい。
【００２９】
また、放音部３１１は、第１部材１１側に位置しており、貫通孔１０１に対応して配置されている。具体的には、放音部３１１から出力された音声を外部に向かって放出可能なように貫通孔１０１が放音部３１１に対応して配置されている。
【００３０】
［支持部材］
図２に示すように、支持部材１５は、回路基板２とスピーカーユニット３との間に配置されており、筐体１が有する第３部材１３と一体的に構成されていて、スピーカーユニット３を筐体１に対して支持している。また、支持部材１５は、スピーカーユニット３の振動を減衰する機能を有する。
【００３１】
図４は、図１に示す音声出力装置が有する支持部材を示す平面図である。ここで、図４に示すように、前述した第３部材１３は、平面視で長方形の枠状をなしている。第３部材１３は、側面部１３１ａ、１３１ｂ、１３１ｃ、および１３１ｄを備える。側面部１３１ａは側面部１３１ｂに対向しており、側面部１３１ｃは側面部１３１ｄに対向している。側面部１３１ｃは側面部１３１ａの一端と側面部１３１ｂの一端とを連結する。側面部１３１ｄは側面部１３１ａの他端と側面部１３１ｂの他端とを連結する。
【００３２】
支持部材１５は、第３部材１３の側面部１３１ｃと側面部１３１ｄとの間を連結するように架けられた梁状をなす。具体的には、支持部材１５は、平面視で、筐体１内の中央部に位置する四角形状の本体部１５１と、本体部１５１と側面部１３１ｃとを連結する１５２ａおよび１５２ｂと、本体部１５１と側面部１３１ｄとを連結する１５２ｃおよび１５２ｄとを有する。なお、以下では、連結部１５２ａ、１５２ｂ、１５２ｃ、および１５２ｄをそれぞれ区別しない場合、これらを総称して連結部１５２という。
【００３３】
（本体部）
本体部１５１は枠状をなし、本体部１５１の中央部には、放音部３１１の位置および大きさ等に対応して形成された貫通孔１５１０が形成されている（図２および図４参照）。また、本体部１５１は、スピーカーユニット３が配置される配置部１５１１と、第１部材１１に接続されている接続部１５１２と、を有する。配置部１５１１は、本体部１５１の他の部分よりもスピーカーユニット３側に向かって突出している。接続部１５１２は、本体部１５１の貫通孔１５１０を形成する縁部に形成されていて、本体部１５１の他の部分よりも第１部材１１側に向かって突出している。
【００３４】
本体部１５１では、配置部１５１１の−Ｚ軸側の面がスピーカーユニット３に密着しており、接続部１５１２の＋Ｚ軸側の面が部材１４に密着している。このような構成の本体部１５１は、スピーカーユニット３と第１部材１１との間を気密的に封止する「封止部」を構成している。言い換えると、支持部材１５は、筐体１の貫通孔１０１を形成する縁部とスピーカーユニット３との間を封止する「封止部」を有している。これにより、貫通孔１０１を形成する縁部とスピーカーユニット３との間を封止するガスケット等を省くことができるので、音声出力装置１００が備える部品点数を削減することができる。
【００３５】
なお、配置部１５１１は、スピーカーユニット３を配置できる構成であればよく、図２に示すようにスピーカーユニット３側に向かって突出していなくてもよい。
【００３６】
（連結部）
図２に示すように、４つの連結部１５２は、それぞれ、長尺な板状の部材を長手方向に沿って複数回屈曲させたような形状をなし、その長手方向の中央部に第２部材１２側が凸になるよう折れ曲がった屈曲部１５２１を有する。また、図４に示すように、連結部１５２ａ、および１５２ｂは、それぞれ本体部１５１と側面部１３１ｃとを連結していて、互いに離間しほぼ平行に配置されている。連結部１５２ｃ、および１５２ｄは、それぞれ本体部１５１と側面部１３１ｄとを連結していて、互いに離間しほぼ平行に配置されている。また、連結部１５２ａ、および１５２ｃは、本体部１５１を挟んで両側に配置され、連結部１５２ｂ、および１５２ｄは、本体部１５１を挟んで両側に配置されている。
【００３７】
４つの連結部１５２は、前述したように板状の部材を用いて形成されているため、比較的簡単な構成で、スピーカーユニット３から回路基板２さらには筐体１に伝達される振動を低減することができる。また、連結部１５２は、厚さが薄いため弾性変形しやすい。そのため、スピーカーユニット３の振動を効果的に減衰させることができる。さらに、前述したように、４つの連結部１５２は、屈曲部１５２１を有するため、スピーカーユニット３の振動をより効果的に減衰させることができる。なお、屈曲部１５２１の数は１つに限らず複数であってもよい。すなわち、連結部１５２は蛇腹状であってもよい。これにより、振動を特に効果的に減衰させることができる。ただし、製造の簡便化を図りつつ、振動を効果的に減衰させるためには、屈曲部１５２１の数は、図示の通り１つであることが好ましい。なお、屈曲部１５２１は、例えば第１部材１１側が凸になるよう折れ曲がっていてもよい。
【００３８】
ここで、音声出力装置１００では、スピーカーユニット３の質量と、支持部材１５のコンプライアンスおよび筐体１の内部空間Ｓに存在する気体のコンプライアンスとによって、ローパスフィルターが形成されている。ローパスフィルターの入力は放音部３１１を駆動する力であり、その出力は回路基板２を押す力である。ゆえに、支持部材１５は、スピーカーユニット３の質量と、支持部材１５のコンプライアンスおよび筐体１の内部空間Ｓに存在する気体のコンプライアンスとでローパスフィルターを構成するように、例えば支持部材３２の厚さ、形状、および材質等を適宜設定することが好ましい。これにより、回路基板２さらには筐体１に伝達される振動を低減することができる。その結果、筐体１の振動が物体７に伝達されて物体７が振動することにより生じる雑音をより低減することができる。
【００３９】
また、前述したスピーカーユニット３と筐体１の第２部材１２との間には、振動吸収材５２（第１振動吸収材）が介在している。振動吸収材５２は、平面視で、スピーカーユニット３の中央部に位置している。この構成により、振動吸収材５２を設けない場合に比べ、スピーカーユニット３を安定して筐体１内に設置することができる。また、筐体１に伝達される振動を効果的に吸収することができる。そのため、スピーカーユニット３の振動が筐体１を介して物体７に伝達されて物体７が振動することにより生じる雑音を低減できる。
【００４０】
振動吸収材５２としては、前述した部材１４の例示として挙げた部材を用いることができる。また、振動吸収材５２は、部材１４および振動吸収材５１と同様の部材であってもよいし、異なる部材であってもよい。また、図示では、振動吸収材５２は、スピーカーユニット３と筐体１との間の領域の一部のみに設けられているが、これらの間の領域全てを埋めるように設けられていてもよい。
【００４１】
以上説明したように、音声出力装置１００は、筐体１と、筐体１の内部に配置され、音声信号に応じて振動して放音する放音部３１１を有するスピーカーユニット３と、筐体１と一体的に構成され、スピーカーユニット３を支持するとともに振動を減衰する緩衝性を有する支持部材１５と、を備える。
【００４２】
このような音声出力装置１００によれば、緩衝性を有する支持部材１５を備えているため、スピーカーユニット３の振動を減衰することができる。そのため、支持部材１５を介して筐体１に伝達される振動を低減することができる。その結果、スピーカーユニット３の振動が物体７に伝達されて物体７が振動することにより生じる雑音を低減することができる。また、筐体１と支持部材１５とが一体的に構成されているため、これらが別体で形成されている場合に比べ、スピーカーユニット３の振動を特に効果的に減衰させることができる。また、支持部材１５を備えることで物体７に伝わる振動が低減されるため、筐体１を介してマイクロホン４にスピーカーユニット３の振動が伝達されてマイクロホン４が振動することで発生する雑音を低減することができる。このようなことから、音声出力装置１００の音質を高めることができる。また、支持部材１５が筐体１と一体的に構成されているため、部品点数を減らすことができ、コストを削減できる。
【００４３】
なお、本実施形態では、支持部材１５は、第３部材１３と一体的に構成されているが、第１部材１１または第２部材１２と一体的に構成されていてもよい。
【００４４】
また、前述したように、支持部材１５は、梁状である。そのため、スピーカーユニット３を安定的に支持することができる。また、梁状であることで、優れた弾性を有する支持部材１５を形成し易い。そのため、振動を減衰させることができる支持部材１５をより簡単に形成することができる。なお、支持部材１５の形状は、梁状に限定されず、例えば網目状等であってもよい。
【００４５】
さらに、前述したように、スピーカーユニット３の質量と、支持部材１５のコンプライアンスおよび内部空間Ｓに存在する気体のコンプライアンスとによって、ローパスフィルターが形成されているため、筐体１に伝達される振動を低減できる。そのため、筐体１の振動が物体７に伝達されて物体７が振動することにより生じる雑音をより低減できる。そのため、音声出力装置１００の音質を高めることができる。
【００４６】
また、前述したように、音声出力装置１００は、支持部材１５に加えて、振動吸収材５２を有している。支持部材１５の振動緩和作用と、振動吸収材５２の振動吸収作用との相乗効果によって、スピーカーユニット３の振動が物体７に伝達されて物体７が振動することにより生じる雑音を特に低減できる。さらには、音声出力装置１００は、前述したように、部材１４を有する。部材１４は支持部材１５に接続されている。そのため、スピーカーユニット３を支持している支持部材１５の振動を吸収することができる。それゆえ、支持部材１５に加えて部材１４を備えることで、物体７が振動することにより生じる雑音を低減する作用をさらに高めることができる。例えば、振動吸収材５２の材質、部材１４の材質、および、支持部材１５の形状等をコントロールすることで、音声出力装置１００の振動が物体７に伝達された物体７が振動することにより生じる雑音を効果的に低減することができる。
【００４７】
なお、前述した音声出力装置１００は、音声以外の音、例えば音楽等も出力可能である。
【００４８】
＜第２実施形態＞
次に、本発明の第２実施形態について説明する。図５は、第２実施形態に係る音声出力装置の断面図である。図６は、図５に示す音声出力装置が有する支持部材を示す平面図である。
【００４９】
本実施形態は、主に、支持部材の構成が異なること、およびガスケットがあること以外は、前述した第１実施形態と同様である。
【００５０】
なお、以下の説明では、第２実施形態に関し、前述した実施形態との相違点を中心に説明し、同様の事項に関してはその説明を省略する。また、図５および図６において、前述した第１実施形態と同様の構成については、同一符号を付している。
【００５１】
図５および図６に示す音声出力装置１００Ａが有する支持部材１５Ａは、前述した第１実施形態における支持部材１５が有する接続部１５１２を有していない。すなわち、支持部材１５Ａは、その中央部に形成された厚さ方向に貫通する貫通孔１５１０と、スピーカーユニット３を配置する配置部１５１１とを有する本体部１５１Ａを備える。
【００５２】
また、本実施形態では、本体部１５１Ａと筐体１の第１部材１１との間には、シール部材６０が設けられている。シール部材６０は、例えば円環状のガスケットで構成されており、本体部１５１Ａと第１部材１１とのそれぞれに対して密着している。
【００５３】
本実施形態では、第１実施形態と同様に、筐体１は、放音部３１１に対応する箇所に位置する貫通孔１０１を有している。また、前述したように、音声出力装置１００Ａは、支持部材１５Ａとは別体で構成され、筐体１の貫通孔１０１を形成する縁部とスピーカーユニット３との間を封止するシール部材６０を有する。このように音声出力装置１００Ａは、スピーカーユニット３を支持することを主たる機能とする支持部材１５Ａとは別に、スピーカーユニット３と筐体１との間を密閉することを主たる機能とするシール部材６０を有している。そのため、第１実施形態の構成に比べ、筐体１の内部空間Ｓの気密性を高めることができるので、外乱の影響を受けにくく、よって、雑音をより低減することができる。また、第１実施形態の支持部材１５のように接続部１５１２を有していないため、支持部材１５Ａの構成を簡素化することができる。そのため、設計が容易であり、コストを低減することができる。
【００５４】
以上説明したような第２実施形態によっても、雑音を低減しつつ、部品点数を少なくすることができる。
【００５５】
＜第３実施形態＞
次に、本発明の第３実施形態について説明する。図７は、第３実施形態に係る音声出力装置の断面図である。
【００５６】
本実施形態は、主に、ガスケットの代わりに補助部材を用いていること以外は、前述した第２実施形態と同様である。
【００５７】
なお、以下の説明では、第３実施形態に関し、前述した実施形態との相違点を中心に説明し、同様の事項に関してはその説明を省略する。また、図７において、前述した第２実施形態と同様の構成については、同一符号を付している。
【００５８】
図７に示す音声出力装置１００Ｂでは、支持部材１５Ａと筐体１の第１部材１１との間に、複数の補助部材６１、および６２が設けられている。補助部材６１、および６２は、支持部材１５Ａによるスピーカーユニット３の支持を補助する機能を有する。
【００５９】
補助部材６１は、第１部材１１と回路基板２との間に位置し、これら双方に密着して設けられている。また、補助部材６２は、回路基板２と本体部１５１Ａとの間に位置し、これら双方に密着して設けられている。
【００６０】
また、補助部材６１、および６２としては、例えば、前述した部材１４の例示として挙げた部材を用いることができる。特に、補助部材６１、および６２としては、独立気泡スポンジであることが好ましい。これにより、補助部材６１、および６２によって、スピーカーユニット３の支持を補助するとともに、筐体１に伝達される振動をより低減することができる。
【００６１】
このように筐体１の貫通孔１０１を形成する縁部と支持部材１５Ａとの間には、支持部材１５Ａとは別体で構成され、振動を吸収するとともに、支持部材１５Ａによるスピーカーユニット３の支持を補助するための補助部材６１、および６２が設けられている。この補助部材６１、および６２により、スピーカーユニット３から支持部材１５Ａに伝達される振動を吸収できる。そのため、回路基板２や筐体１に伝達される振動を低減することができる。また、スピーカーユニット３を安定的に支持することができる。さらに、第１実施形態における支持部材１５の構成に比べ、支持部材１５Ａの構成を簡素化することができる。そのため、コストをより低減することができる。また、支持部材１５Ａおよび補助部材６１、および６２を用いることで、組み立てを容易に行うことができるので、歩留まりにも優れている。また、補助部材６１、および６２は、本体部１５１Ａまたは第１部材１１と、回路基板２とに対して密着して設けられているため、支持部材１５Ａ、補助部材６１、および６２および回路基板２によって、スピーカーユニット３と筐体１との間を気密的に封止することができる。そのため、筐体１内における外乱の影響を低減できるので雑音をより効果的に低減できる。
【００６２】
以上説明したような第３実施形態によっても、雑音を低減しつつ、部品点数を少なくすることができる。
【００６３】
以上、本発明の音声出力装置について図示の実施形態に基づいて説明したが、本発明は、これらに限定されるものではない。また、本発明の各部の構成は、前述した実施形態の同様の機能を発揮する任意の構成のものに置換することができ、また、任意の構成を付加することもできる。また、本発明は、前述した各実施形態の任意の構成同士を組み合わせるようにしてもよい。
【００６４】
前述した実施形態では、マイクロホンを備える音声出力装置を例に説明したが、本発明は、マイクロホンを備えていなくてもよい。
【００６５】
前述した実施形態では、音声出力装置を自動車の内部で用いた場合を例に説明したが、本発明は、自動車以外で用いることも可能である。例えば、音声出力装置は、建物の内壁に取り付けてもよい。
【００６６】
前述した実施形態では、回路基板は、筐体内に配置されていたが、筐体外に配置されていてもよい。
【００６７】
以上に例示した形態から、例えば以下の態様が把握される。
【００６８】
本発明の好適な態様に係る音声出力装置は、筐体と、前記筐体の内部に配置され、音声信号に応じて振動して放音する放音部を有するスピーカーユニットと、前記筐体と一体的に構成され、前記スピーカーユニットを支持するとともに振動を減衰する緩衝性を有する支持部材と、を備える。この態様によれば、緩衝性を有する支持部材を備えているため、スピーカーユニットの振動を減衰させることができる。そのため、支持部材を介して筺体に伝達される振動を低減することができる。その結果、スピーカーユニットの振動が物体に伝達されて物体が振動することにより生じる雑音を低減することができる。また、支持部材が筐体と一体的に構成されているため、部品点数を減らすことができ、コストを削減できる。
【００６９】
前述した音声出力装置の好適例において、前記支持部材は、梁状である。この態様によれば、スピーカーユニットを安定的に支持することができる。また、優れた弾性を有する支持部材を形成し易い。
【００７０】
前述した音声出力装置の好適例において、前記筐体は、前記放音部に対応する箇所に貫通孔を有し、前記支持部材は、前記筐体の前記貫通孔を形成する縁部と、前記スピーカーユニットとの間を封止する封止部を有する。この態様によれば、当該縁部とスピーカーユニットとの間を封止するガスケットを省くことができるので、部品点数を削減することができる。
【００７１】
前述した音声出力装置の好適例において、前記筐体は、前記放音部に対応する箇所に位置する貫通孔を有しており、前記支持部材とは別体で構成され、前記筐体の前記貫通孔を形成する縁部と前記スピーカーユニットとの間を封止するシール部材を有する。この態様によれば、スピーカーユニットを支持することを主たる機能とする支持部材の他に、密閉することを主たる機能とするシール部材を用いることで、筐体内の空間の気密性を高めることができる。そのため、シール部材を有さない構成に比べて、筐体内における外乱の影響を低減することができるので雑音をより低減することができる。また、前述した封止部を有する構成よりも、支持部材の構成を簡素化することができる。そのため、設計が容易であり、コストをより低減することができる。
【００７２】
前述した音声出力装置の好適例において、前記筐体は、前記放音部に対応する箇所に貫通孔を有しており、前記筐体の前記貫通孔を形成する縁部と前記支持部材との間には、前記支持部材とは別体で構成され、振動を吸収するとともに、前記スピーカーユニットの支持を補助するための補助部材が設けられている。この態様によれば、スピーカーユニットから支持部材に伝達される振動を吸収するとともに、スピーカーユニットを安定的に支持することができる。
【００７３】
前述した音声出力装置の好適例において、前記筐体と前記スピーカーユニットとの間には、振動を吸収する振動吸収材が設けられている。この態様によれば、振動吸収材を用いていない場合に比べて、スピーカーユニットをより安定して設置することができるとともに、スピーカーユニットから筐体に伝達される振動を吸収することができる。そのため、スピーカーユニットの振動が筐体を介して物体に伝達されて物体が振動することにより生じる雑音をより低減できる。
【符号の説明】
【００７４】
１…筐体、３…スピーカーユニット、７…非取付物、１５、１５Ａ…支持部材、５２…振動吸収材（第１振動吸収材）、１００，１００Ａ…音声出力装置、３１１…放音部、６０…シール部材、６１，６２…補助部材
【図１】
2019146096.tif 000003
【図２】
2019146096.tif 000004
【図３】
2019146096.tif 000005
【図４】
2019146096.tif 000006
【図５】
2019146096.tif 000007
【図６】
2019146096.tif 000008
【図７】
2019146096.tif 000009
【国際調査報告】
2019146096.tif 000010
2019146096.tif 000011
2019146096.tif 000012